(57)【要約】【課題】研磨布の着脱を簡単に行うことのできるメダル研磨装置を提供する。【解決手段】研磨布の先端を管状部材９１とリング状部材９２とからなる係止用部材を介して巻取り軸２８に係着する。管状部材９１には、複数の割溝９１１と、その端部外周にテーパー面９１２が形成されており、リング状部材９２の内周にはテーパー面９２１が形成されている。管状部材９１にリング状部材９２を圧入することにより、テーパー面９２１がテーパー面９１２上を摺動して管状部材９１を縮径するので、割溝９１１に挿し込まれた研磨布を挟持して巻取り軸２８に係着することができる。【選択図】　　図７
2004081490.tif 000002
【特許請求の範囲】
【請求項１】
メダル搬送用ベルトが張設されたうえに、該ベルトに保持されて搬送されるメダルを研磨する研磨布が巻取り移動自在に張設されたメダル研磨装置であって、研磨布はその先端が係止用部材を介して巻取り軸に係着されており、前記係止用部材は、割溝が形成されていて巻取り軸に挿着される管状部材と、この管状部材の端部に圧入されて割溝に挿し込まれた研磨布を締め付けるためのリング状部材とからなることを特徴とするメダル研磨装置。
【発明の詳細な説明】
【０００１】
【発明の属する技術分野】
本発明は、遊技に使用されて汚染したメダルを研磨するためのメダル研磨装置に関するものである。
【０００２】
【従来の技術】
スロットマシンなどの遊技機に使用されるメダルは、遊技者の手の脂、大気中の紫煙、機械油などによって汚染されるために適宜研磨を行って綺麗にしてやる必要がある。メダルを研磨する方法として、対向させて張設した研磨布間をメダルを通過させて研磨する方法が知られているが、研磨布はメダルの研磨によって汚染されるので、適宜新品と交換して研磨能力を維持する必要がある。しかしながら、従来のメダル研磨装置は、研磨布の交換が簡単に行えるものではなかったので、研磨布の交換作業が煩わしく時間がかかるという問題があった。
【０００３】
【発明が解決しようとする課題】
本発明は上記した従来の問題点を解決し、研磨布の着脱を簡単に行うことのできるメダル研磨装置を提供するためになされたものである。
【０００４】
【課題を解決するための手段】
上記の課題を解決するためになされた本発明のメダル研磨装置は、メダル搬送用ベルトが張設されたうえに、該ベルトに保持されて搬送されるメダルを研磨する研磨布が巻取り移動自在に張設されたメダル研磨装置であって、研磨布はその先端が係止用部材を介して巻取り軸に係着されており、前記係止用部材は、割溝が形成されていて巻取り軸に挿着される管状部材と、この管状部材の端部に圧入されて割溝に挿し込まれた研磨布を締め付けるためのリング状部材とからなることを特徴とするものである。
【０００５】
本発明のメダル研磨装置は、係止用部材を、割溝が形成されていて巻取り軸に挿着される管状部材と、管状部材の端部に圧入されるリング状部材とにより構成したので、研磨布の先端を割溝に挿し込んだうえリング部材を管状部材の端部に圧入することにより、割溝に挿し込まれた研磨布をきつく締め付けることができる。
【０００６】
【発明の実施の形態】
以下に図面を参照しつつ本発明の好ましい実施形態を説明する。
［メダル研磨装置の構成］
メダル研磨装置２の構成を図１、２に示す。メダル研磨装置２には、支持板２０に取付けられたメダル搬送装置３０と、支持板２７に取付けられた一組の研磨布送り装置２６が備えられている。
メダル搬送装置３０には、モーター２１と、このモーター２１によって駆動される駆動プーリ２２と、この駆動プーリ２２に連動する３本の従動プーリ２２ａとが間隔をおいて四角形に配置されている。これらのプーリ２２、２２ａを周回して歯付きの無端ベルト２３が張設されている。
【０００７】
そして、図３に示すように、左右に一対の無端ベルト２３には、略コの字形でメダルの厚みより薄いメダル保持用の薄板２４が、一定間隔をおいて梯子段状に配置されてメダル搬送用ベルト３０ａを構成している。この薄板２４は前記無端ベルト２３にその両端が固定されており、前後の薄板２４との間にメダル研磨用の開口した受け部２５を形成している。受け部２５は、進行方向には一枚のメダルが入ることのできる寸法であるが、進行方向に対して横方向には複数枚のメダルが入ることのできる幅に形成してあって、複数枚のメダルを横一列に保持して効率的に研磨することができる。このメダル搬送装置３０には研磨済みのメダルを送り出すための排出口３０１が設けてある。
【０００８】
図１、２に示したように、メダル搬送用ベルト３０ａを挟んで対抗して研磨布送り装置２６が配設されている。この研磨布送り装置２６において、研磨布２９は、ロール状の研磨布本体が払出し軸２８ａに装着され、その先端が巻取り軸２８に係着されて張設されている。そして、研磨布２９は、研磨布２９を押圧するための抑え板３１と、両端にガイド用ローラ３２とを有する押圧部材３３により支持されて、受け部２５にある移動中のメダルを挟みつけて研磨する。なお、抑え板３１の裏側にはヒーター３１１が配してあるので研磨布２９を適温に加熱することができる。また、研磨布送り装置２６のメダル入り側には、研磨液の含浸部３９が設けられていて研磨布２９に研磨液を供給することができる。また、研磨布送り装置２７には、後述するピッチローラ３４と、研磨布張設用のガイドローラ３４ａと抑えローラ３５が配設されている。
【０００９】
［研磨布係止部材の詳細］
図４〜７に巻取り軸２８及び研磨布係止部材を示す。巻取り軸２８はプーリが装着される基端部２８１と、ベアリングに支承される支持部２８２と、研磨布２９を巻き込む軸主部２８３とからなる。研磨布係止部材は、巻取り軸２８に挿着される管状部材９１と、この管状部材９１の端部に圧入されるリング状部材９２とからなる。
【００１０】
管状部材９１は、研磨布２９を挿し込み、且つ、管状部材９１を縮径するための割溝９１１を等間隔に４本有し、先端部の外周にはテーパー面９１２が形成されている。割溝９１１の幅は研磨布２９が入り込むことのできる程度の寸法であって、また、管状部材９１１の内径は、巻取り軸２８の外径との間に研磨布２９が入り込むことのできる程度の隙間を形成できる寸法としてある。
【００１１】
リング状部材９２には、内周にテーパー面９２１が形成されていて、管状部材９１にリング状部材９２を圧入した時に、このテーパー面９２１が管状部材９１のテーパー面９１２上を摺動して管状部材９１を縮径する。したがって、研磨布２９を割溝９１１や、巻取り軸２８と管状部材９１との間の隙間に挟持することができるので、巻取り軸２８を駆動することによって研磨布２９を巻き取ることができる。
【００１２】
研磨布２９が使用済みとなって巻取りを完了したときには、リング状部材を取り外せば管状部材９１は拡径されて、巻取り軸２８と管状部材９１との間の隙間が拡張されることになるので、研磨布２９をロール状に巻き込んだまま管状部材９１を引き抜くことができる。また、割溝９１１も元の幅に拡幅されるので、研磨布２９の先端を割溝９１１から抜き出すことができて、研磨布２９と管状部材９１とを容易に分離することができる。なお、図７において、９３はプーリーであり、９４はベアリングである。
【００１３】
［研磨布の送り機構］
セットされた研磨布２９は、図８に詳細を示す研磨布送り装置２６によって間歇的に所定量ずつずらされる。研磨布送り装置２６は、既記した巻取り軸２８と、巻取り軸２８を駆動するモーター８１と、モーター８１を間歇的に駆動するコントローラ８３とからなる巻取り機構と、研磨布２９に接触して送り量を計測するピッチローラ３４と、ピッチローラ３４の回転数を検出してその回転数をコントローラ８３に伝達するセンサー８２とからなる検出機構とにより構成される。ピッチローラ３４は、４枚のピッチ板３４１を有している。センサー３４はフォトセンサーであって、ピッチ板３４１の通過回数を計数することにより研磨布２９の送り量を検出する。また、コントローラ８３はモーター８１の停止時間をカウントするタイマーを内蔵しているが、このコントローラ８３はセンサー８２とモーター８１とに接続されていて、センサー８２からピッチローラ３４の回転数が伝達されるとともに、所定の時間間隔をおいてモーター８１を駆動するための信号を出力する。
【００１４】
モーター８１の駆動により巻取り軸２８が回転して研磨布２９がずれると、研磨布２９に接触しているピッチローラ３４が回転する。センサー８２はピッチ板３４１の通過回数を検出する。そして、ピッチ板３４１が所定回数通過した時に、コントローラ８３はモーター８１の駆動を停止し、コントローラ８３に内蔵されたタイマーの作動を開始する。タイマーが作動開始して所定の時間が経過するとモーター８１が再び駆動されて研磨布２９がずらされる。以下、同様にこの動作が繰り返されて、研磨布２９を間歇的に所定量ずらして研磨能力を維持することができる。
【００１５】
［メダルの研磨機構］
使用済みのメダルは、図１に示したように、メダル研磨装置２の端部に設けられたメダル受け器３６に投入される。メダル受け器３６には傾斜した底面３６１が形成してあるので、メダルは底面３６１からメダル搬送用ベルト３０ａの受け部２５に多重に積み重なって送入される。受け部２５に送入されたメダルは、張設された研磨布２９の入り口まで支持板３７上を移動する。
【００１６】
メダルがメダル搬送用ベルト３０ａに送入される位置の上方には、前後にスイングする振り子状のメダル均し部材３８と、回転ブラシであるメダル均し部材３８ａとが配設されている。したがって、受け部２５に送入されたメダルはメダル均し部材３８、３８ａにより一重の状態に均されて搬送されて、対向して張設された研磨布２９の間を通過するので、メダルの表裏面を同時に研磨することができる。メダルを研磨して研磨布２９を使用し終えた時には、上記した係止用部材を脱着することにより容易に研磨布２９を新品と交換することができる。
【００１７】
【発明の効果】
以上に説明したように、本発明のメダル研磨装置は、係止用部材を、割溝が形成されていて巻取り軸に挿着される管状部材と、管状部材の端部に圧入されるリング状部材とにより構成したので、研磨布の先端を割溝に挿し込んだうえリング部材を管状部材の端部に圧入することにより、割溝に挿し込まれた研磨布をきつく締め付けることができる。
したがって、本発明のメダル研磨装置は、係止用部材を着脱することにより研磨布の着脱を簡単に行うことができるという大きな利点を有する。
【図面の簡単な説明】
【図１】本発明のメダル研磨装置の主要部の正面図である。
【図２】メダル研磨装置の主要部の拡大図である。
【図３】メダル搬送装置の平面図である。
【図４】巻取り軸の正面図である。
【図５】管状部材の正面図と側面図である。
【図６】リング状部材の正面の断面図である。
【図７】管状部材とリング状部材が装着された巻取り軸の正面図である。
【図８】研磨布送り装置の詳細図である。
【符号の説明】
２８　巻取り軸
９１　管状部材
９１１　割溝
９１２　テーパー面
９２　リング状部材
９２１　テーパー面
【図１】
2004081490.tif 000003
【図２】
2004081490.tif 000004
【図３】
2004081490.tif 000005
【図４】
2004081490.tif 000006
【図５】
2004081490.tif 000007
【図６】
2004081490.tif 000008
【図７】
2004081490.tif 000009
【図８】
2004081490.tif 000010